(57)【要約】【課題】同軸ケーブルを接続するコネクタと、同軸ケーブルとは異なる種類の電線を接続するコネクタとでパネル孔を共用することが可能なコネクタホルダを提供する。【解決手段】コネクタホルダ１０は、同軸ケーブルＣを接続する第１コネクタ５０が固定される第１固定部２０と、同軸ケーブルＣとは異なる種類の電線Ｗを接続する第２コネクタが固定される第２固定部４０と、を一体に備えている。このような構成によれば、同軸ケーブルＣを接続する第１コネクタ５０と、同軸ケーブルＣとは異なる種類の電線Ｗを接続する第２コネクタとが一のコネクタホルダ１０を介して一のパネル孔に固定される。【選択図】図１
2016072170.tif 000002
【特許請求の範囲】
【請求項１】
同軸ケーブルを接続する第１コネクタが固定される第１固定部と、
同軸ケーブルとは異なる種類の電線を接続する第２コネクタが固定される第２固定部と、
を一体に備えたコネクタホルダ。
【請求項２】
前記第１固定部が一対の前記第２固定部の間に位置するように並んで配置され、全体としてその並び方向に対称な形状をなしている請求項１に記載のコネクタホルダ。
【請求項３】
前記第１固定部が、前後方向に開口する形態をなし、
前記第１コネクタが、互いに嵌合可能な一対のコネクタを有し、
前記一対のコネクタのうち一方のコネクタが、同軸ケーブルの端末部に接続された状態で前記第１固定部に後方から挿入され、前記第１固定部の前方に突出した後に、前記同軸ケーブルを後方に引っ張ることで引き戻されて前記第１固定部に固定されるものとされ、
前記一方のコネクタおよび前記第１固定部には、前記一方のコネクタの引き戻しの際に互いに係合して前記一方のコネクタを前記第１固定部の所定の固定位置まで案内するレール構造が設けられている請求項１または請求項２に記載のコネクタホルダ。
【請求項４】
前記レール構造が、側方に開放された溝部を有するレールと、前記溝部に差し入れられる差入部とを有し、
前記レールが前記第１固定部に設けられ、前記差入部が前記一方のコネクタに設けられ、
前記レールには、前記一方のコネクタが引き戻されて前記所定の固定位置に至ると前記差入部が突き当たって前記一方のコネクタが前記第１固定部から後方へ離脱することを制限する止め部が設けられている請求項３に記載のコネクタホルダ。
【請求項５】
前記一方のコネクタおよび前記第１固定部に、前記一方のコネクタが引き戻されて前記所定の固定位置に至ると互いに係止して前記一方のコネクタが前記第１固定部から前方へ離脱することを制限するロック構造が設けられている請求項３または請求項４に記載のコネクタホルダ。
【請求項６】
前記ロック構造が、前記一方のコネクタに設けられたロック突起と、前記第１固定部に設けられたロック片とを有し、
前記一方のコネクタの引き戻しの際に前記ロック突起が前記ロック片に当接して前記ロック片が弾性変位し、前記一方のコネクタが前記所定の固定位置に至ると前記ロック突起が前記ロック片を乗り越えて前記ロック片が弾性復帰して前記ロック突起に係止するものとされている請求項５に記載のコネクタホルダ。
【請求項７】
前記ロック片が、後端が支持された片持ち状をなして前記第１固定部の前側部分に形成され、
前記レールが、前記第１固定部のうち前記ロック片が形成された側の壁面に設けられ、前記壁面に立設された立設部と、前記立設部の立ち上がり方向における端部から側方に張り出すとともに前記ロック片よりも後方の位置から前記ロック片と重なる位置に至るまで延びて設けられた張出部とを有し、
前記立設部には、前記ロック片と前記張出部との間を切り離すようにスリットが設けられている請求項６に記載のコネクタホルダ。
【請求項８】
前記第１固定部の前側開口部には、前方から後方に向かって前記第１固定部の幅寸法を狭める向きで傾斜し、前記一方のコネクタの前記所定の固定位置への移動を案内する案内部が設けられている請求項３ないし請求項７のいずれか一項に記載のコネクタホルダ。
【発明の詳細な説明】
【技術分野】
【０００１】
本発明は、コネクタホルダに関する。
【背景技術】
【０００２】
従来、同軸ケーブルを接続するコネクタ（例えば下記特許文献１に記載）と、同軸ケーブルとは異なる種類の電線を接続するコネクタ（例えば下記特許文献２に記載）とが知られている。そして一般に、これらのコネクタは、例えば車両のパネル等に固定される場合には、別々に設けられたパネル孔にそれぞれコネクタホルダを介して、もしくは直接的に係止して固定される。
【先行技術文献】
【特許文献】
【０００３】
【特許文献１】特開２０１２−４３７９８号公報
【特許文献２】特開２０１０−１２９５２７号公報
【発明の概要】
【発明が解決しようとする課題】
【０００４】
しかしながら、パネル孔は、コネクタの外形に比して大きい開口部となりがちであり、強度確保等の理由から、パネル孔を別々に設けることは好ましくないため対策が望まれていた。
【０００５】
本発明は上記のような事情に基づいて完成されたものであって、同軸ケーブルを接続するコネクタと、同軸ケーブルとは異なる種類の電線を接続するコネクタとでパネル孔を共用することが可能なコネクタホルダを提供することを目的とする。
【課題を解決するための手段】
【０００６】
本発明のコネクタホルダは、同軸ケーブルを接続する第１コネクタが固定される第１固定部と、同軸ケーブルとは異なる種類の電線を接続する第２コネクタが固定される第２固定部と、を一体に備えたものである。
【発明の効果】
【０００７】
本発明によれば、同軸ケーブルを接続する第１コネクタと、同軸ケーブルとは異なる種類の電線を接続する第２コネクタとが一のコネクタホルダを介して一のパネル孔に固定されるから、同軸ケーブルを接続するコネクタと、同軸ケーブルとは異なる種類の電線を接続するコネクタとでパネル孔を共用することができる。
【図面の簡単な説明】
【０００８】
【図１】実施例１におけるコネクタホルダを示す斜視図
【図２】コネクタホルダを示す正面図
【図３】コネクタホルダを示す背面図
【図４】第１固定部の上面側を示す一部拡大断面図
【図５】第１固定部の下面側を示す一部拡大断面図
【図６】プラグが第１固定部の前方に突出するまで挿入された様子を示す断面図
【図７】第１コネクタを接続した様子を示す断面図
【図８】接続された第１コネクタが第１固定部に固定された状態を示す側断面図
【図９】接続された第１コネクタが第１固定部に固定された状態を示す平断面図
【図１０】プラグが第１固定部に固定された状態を示す正面図
【図１１】実施例２におけるコネクタホルダを示す正面図
【図１２】プラグが第１案内部によって案内される様子を示す側断面図
【図１３】プラグが第２案内部によって案内される様子を示す平断面図
【発明を実施するための形態】
【０００９】
本発明の好ましい形態を以下に示す。
本発明のコネクタホルダは、前記第１固定部が一対の前記第２固定部の間に位置するように並んで配置され、全体としてその並び方向に対称な形状をなしているものとしてもよい。このような構成によれば、固定部の並び方向に反転して使用することができる。
【００１０】
また、本発明のコネクタホルダは、前記第１固定部が、前後方向に開口する形態をなし、前記第１コネクタが、互いに嵌合可能な一対のコネクタを有し、前記一対のコネクタのうち一方のコネクタが、同軸ケーブルの端末部に接続された状態で前記第１固定部に後方から挿入され、前記第１固定部の前方に突出した後に、前記同軸ケーブルを後方に引っ張ることで引き戻されて前記第１固定部に固定されるものとされ、前記一方のコネクタおよび前記第１固定部には、前記一方のコネクタの引き戻しの際に互いに係合して前記一方のコネクタを前記第１固定部の所定の固定位置まで案内するレール構造が設けられているものとしてもよい。
このような構成によれば、一方のコネクタを引き戻す際に、一方のコネクタがレール構造によって所定の固定位置まで案内されるから、一方のコネクタを容易に固定することができる。
【００１１】
また、本発明のコネクタホルダは、前記レール構造が、側方に開放された溝部を有するレールと、前記溝部に差し入れられる差入部とを有し、前記レールが前記第１固定部に設けられ、前記差入部が前記一方のコネクタに設けられ、前記レールには、前記一方のコネクタが引き戻されて前記所定の固定位置に至ると前記差入部が突き当たって前記一方のコネクタが前記第１固定部から後方へ離脱することを制限する止め部が設けられているものとしてもよい。
このような構成によれば、差入部が止め部に突き当たることで一方のコネクタの後方への離脱が制限されるから、一方のコネクタを容易に固定することができる。
【００１２】
また、本発明のコネクタホルダは、前記一方のコネクタおよび前記第１固定部に、前記一方のコネクタが引き戻されて前記所定の固定位置に至ると互いに係止して前記一方のコネクタが前記第１固定部から前方へ離脱することを制限するロック構造が設けられているものとしてもよい。
このような構成によれば、引き戻された一方のコネクタが所定の固定位置に至るとロック構造が係止することで、一方のコネクタの前方への離脱が制限されるから、一方のコネクタを容易に固定することができる。
【００１３】
また、本発明のコネクタホルダは、前記ロック構造が、前記一方のコネクタに設けられたロック突起と、前記第１固定部に設けられたロック片とを有し、前記一方のコネクタの引き戻しの際に前記ロック突起が前記ロック片に当接して前記ロック片が弾性変位し、前記一方のコネクタが前記所定の固定位置に至ると前記ロック突起が前記ロック片を乗り越えて前記ロック片が弾性復帰して前記ロック突起に係止するものとしてもよい。
このような構成によれば、引き戻された一方のコネクタが所定の固定位置に至ると自動的にロック片とロック突起とが係止し、一方のコネクタの前方への離脱が制限されるから、一方のコネクタを容易に固定することができる。
【００１４】
また、本発明のコネクタホルダは、前記ロック片が、後端が支持された片持ち状をなして前記第１固定部の前側部分に形成され、前記レールが、前記第１固定部のうち前記ロック片が形成された側の壁面に設けられ、前記壁面に立設された立設部と、前記立設部の立ち上がり方向における端部から側方に張り出すとともに前記ロック片よりも後方の位置から前記ロック片と重なる位置に至るまで延びて設けられた張出部とを有し、前記立設部には、前記ロック片と前記張出部との間を切り離すようにスリットが設けられているものとしてもよい。
このような構成によれば、ロック片と重なる位置までレールが延びているにもかかわらず、立設部に設けられたスリットによってロック片とレールとが切り離されているから、ロック片の撓み代とレールの案内代とを十分に確保することができる。
【００１５】
また、本発明のコネクタホルダは、前記第１固定部の前側開口部に、前方から後方に向かって前記第１固定部の幅寸法を狭める向きで傾斜し、前記一方のコネクタの前記所定の固定位置への移動を案内する案内部が設けられているものとしてもよい。このような構成によれば、一方のコネクタが第１固定部の前方から後方に引き戻される際に案内部に当接して所定の固定位置への移動が案内されるから、一方のコネクタを容易に所定の位置に引き戻すことができる。
【００１６】
＜実施例１＞
以下、本発明を具体化した実施例１について、図１〜図１０を参照しつつ詳細に説明する。
本実施例におけるコネクタホルダ１０は合成樹脂製であって、同軸ケーブルＣを接続する第１コネクタ５０が固定される第１固定部２０と、同軸ケーブルＣとは異なる種類の電線Ｗを接続する第２コネクタ(図示せず）が固定される第２固定部４０とを一体に備えたものである。
【００１７】
コネクタホルダ１０は、第１固定部２０が一対の第２固定部４０の間に位置するように並んで配置され、全体としてその並び方向に対称な形状をなしている。以下、各構成部材において、図１の左手前側を前方、右奥側を後方とし、また上側を上方、下側を下方として説明する。
【００１８】
コネクタホルダ１０の外周面には、図示しないパネルの一面側に配される鍔部１１と、パネルの他面側に配される爪部１２とが設けられている。爪部１２は、内外方向に弾性変位可能な片持ち状をなし、コネクタホルダ１０をパネル孔に取り付ける際には、爪部１２がパネル孔の周縁部に当接して内側に弾性変位し、爪部１２がパネル孔を通り過ぎると外側に弾性復帰してパネルの他面側に係止する。これにより、爪部１２と鍔部１１とがパネルの周縁部を挟み込んだ状態になり、コネクタホルダ１０がパネルに取り付けられる。
【００１９】
第２固定部４０は、図９に示すように、電線Ｗの端部に固着された端子金具Ｔが収容されるハウジング部４１と、図示しない電線の端部に固着された相手側の端子金具が保持された第２コネクタが前方から嵌合可能なフード部４２とを有している。
【００２０】
ハウジング部４１には、端子金具Ｔを収容可能なキャビティ４３が複数設けられている。フード部４２は、ハウジング部４１の前方に突出する略角筒状をなし、その内周面には、第２コネクタをロック状態に保持するための突部４４が突設されている。突部４４は、コネクタホルダ１０の幅方向における両端部に設けられている。
【００２１】
第１コネクタ５０は、ＦＡＫＲＡに適合した高周波コネクタであり、互いに嵌合可能な一対のコネクタ（以下、プラグ５０Ａおよびジャック５０Ｂと称する）を有している。第１コネクタ５０は、同軸ケーブルＣの端末部に接続されたプラグ（一方のコネクタ）５０Ａを第１固定部２０に後方から挿入して第１固定部２０の前方に突出させた後に接続される。そして、接続された第１コネクタ５０は、プラグ５０Ａの同軸ケーブルＣを引っ張ることで後方に引き戻されて第１固定部２０に固定される。第１コネクタ５０は、プラグ５０Ａに設けられたロック部５１とジャック５０Ｂに設けられたロックアーム５２とが互いに係止することで、接続状態に保持される。
【００２２】
ロック部５１は、図６に示すように、プラグ５０Ａに設けられた円筒形状をなす接続筒部５３の上面に突設されている。
ロックアーム５２は、ジャック５０Ｂの上面に設けられ、連結部５４を支点としてシーソー状に弾性撓み可能とされている。ロックアーム５２の後端部には、第１コネクタ５０の接続状態を解除する際に押圧操作される操作部５５が設けられている。
【００２３】
プラグ５０Ａには、図７に示すように、第１固定部２０の所定の固定位置に引き戻されると、第１固定部２０に設けられたロック片２５に係止されるロック突起５６が設けられている。ロック突起５６は、図８に示すように、ベース部５８の下面に突設されている。ロック突起５６は、ベース部５８の前端であってベース部５８の幅方向における略中央に設けられている。
【００２４】
また、プラグ５０Ａには、第１固定部２０の前方から後方に引き戻される際に、第１固定部２０に設けられたレール２７に係合する差入部５７が設けられている。差入部５７は、プラグ５０Ａに設けられたベース部５８の下面に設けられている。差入部５７は、図１０に示すように、ベース部５８の左右両縁部に沿って一対が設けられ、ロック突起５６の後側からベース部５８の後端に至るまで延びている。
【００２５】
第１固定部２０は、前後方向に開口する形態とされ、その開口を正面から見ると略方形をなしている。第１固定部２０の４つの角部には、図２に示すように、ブロック状をなして内側に突出するブロック突部２１が設けられている。
【００２６】
４つのブロック突部２１のうち上側に設けられたブロック突部２１と下側に設けられたブロック突部２１との間には、横方向に長い断面長方形状をなす空間が形成されている。この空間は、横倒ししたプラグ５０Ａの断面形状に整合しており、プラグ５０Ａが第１固定部２０に後方から挿入される際に通過する部分（以下、挿入部２２と称する）とされている。挿入部２２は、プラグ５０Ａの断面に比して一回り大きく、プラグ５０Ａの挿入を容易に行うことが可能とされている。
【００２７】
また、４つのブロック突部２１のうち左側に設けられたブロック突部２１と右側に設けられたブロック突部２１との間には、縦方向に長い断面長方形状をなす空間が形成されている。この空間は、接続された第１コネクタ５０の縦向きの姿勢の断面形状に整合しており、第１コネクタ５０が第１固定部２０の前方から後方に引き戻されて収容される部分（以下、収容部２３と称する）とされている。第１コネクタ５０が第１固定部２０に固定された状態では、下側に設けられた一対のブロック突部２１の間にプラグ５０Ａのベース部５８が嵌合し、上側に設けられた一対のブロック突部２１の間に、ジャック５０Ｂの前端部が嵌合する。
【００２８】
ブロック突部２１の前面は、図４および図５に示すように、前端から後方に向かって第１固定部２０の幅寸法を狭める向きで傾斜し、第１コネクタ５０の所定の固定位置への移動を案内する案内面２１Ａとされている。案内面２１Ａは、前端から後方に向かって次第に第１固定部２０の左右方向における中心側に寄る傾斜をなしている。
【００２９】
第１固定部２０の上壁および下壁の前端部には、図１に示すように、それぞれ切欠部２４が設けられている。
上壁に設けられた切欠部２４は平面視台形状をなし、図７に示すように、第１固定部２０に固定された第１コネクタ５０のロックアーム５２の操作部５５を上方に開放する。これにより、操作部５５を下方に押圧操作してロックアーム５２とロック部５１との係合（ロック）を解除し、ジャック５０Ｂを離脱させる作業を容易に行うことができる。
【００３０】
下壁に設けられた切欠部２４は、平面視、横長の長方形状をなし、図４に示すように、第１固定部２０の全幅にわたって形成されている。この切欠部２４が設けられていることにより、第１固定部２０に設けられたロック片２５の前端と第１固定部２０の下壁の前端とが揃って配される。これにより、ロック片２５が第１固定部２０の下壁よりも後側に入る込んでいる場合に比して、ロック片２５のロック解除操作を容易に行うことができる。
【００３１】
第１固定部２０には、図７に示すように、第１コネクタ５０が引き戻されて所定の固定位置に至ると、プラグ５０Ａに設けられたロック突起５６に係止してプラグ５０Ａ（第１コネクタ５０）が第１固定部２０から前方へ離脱することを制限するロック片２５が設けられている。
【００３２】
ロック片２５は、第１固定部２０の下面（壁面）の前側部分に形成され、下側に設けられた一対のブロック突部２１の間に位置している。ロック片２５は、図５に示すように、第１固定部２０の下面の前後方向における略中央部から前方に延びる一対のアーム部２５Ａと、一対のアーム部２５Ａの前端部を連結する形態をなして設けられた係止する係止部２５Ｂとを備えている。ロック片２５は、後端が支持された片持ち状をなし、上下方向に弾性撓み可能とされている。
【００３３】
そして、第１コネクタ５０が引き戻される際に、プラグ５０Ａのロック突起５６がロック片２５の係止部２５Ｂに当接してロック片２５を下方に弾性変位させ、第１コネクタ５０が所定の固定位置に至るとロック突起５６がロック片２５の係止部２５Ｂを乗り越えてロック片２５が上方に弾性復帰し、ロック突起５６の前側に係止部２５Ｂが係止する（図７参照）。なお、係止部２５Ｂの前端の上面側には、ロック突起５６の乗り越え動作を誘導するように傾斜した乗り越え誘導面２６が形成されてる。
【００３４】
第１固定部２０には、第１コネクタ５０を引き戻す際にプラグ５０Ａの差入部５７に係合してプラグ５０Ａを第１固定部２０の所定の固定位置まで案内するレール２７が設けられている。レール２７は、第１固定部２０の下面（ロック片２５が形成された側の壁面）に設けられている。
【００３５】
レール２７は、図２に示すように、側方に開放された溝部２７Ａを有し、溝部２７Ａには、プラグ５０Ａに設けられた差入部５７が前方から差し入れられる。レール２７は、前後方向に延びる形態をなして左右に一対が設けられている。各レール２７は、第１固定部２０の下面に立設された立設部２８と、立設部２８の上端部（立ち上がり方向における端部）から側方（第１固定部２０の左右方向における中心側とは反対方向）に張り出す張出部２９とを有している。そして、プラグ５０Ａの差入部５７が溝部２７Ａに差し入れられた状態では、図９に示すように、一対の立設部２８によってプラグ５０Ａ（第１コネクタ５０）の左右方向の変位が制限され、張出部２９と第１固定部２０の下面とによってプラグ５０Ａ（第１コネクタ５０）の上下方向の変位が制限される。
【００３６】
レール２７は、図５および図６に示すように、第１固定部２０の前後方向における中央よりも後側からロック片２５のアーム部２５Ａの上面に至るまで延びている。各レール２７の立設部２８は、それぞれアーム部２５Ａの内側縁（第１固定部２０の左右方向における中心側の縁）に沿って立っている。張出部２９は、ロック片２５よりも後方の位置からロック片２５の上側に重なる位置に至るまで延びて設けられている。
【００３７】
立設部２８には、ロック片２５と張出部２９との間を切り離すようにスリット３１が設けられている。スリット３１は、立設部２８の前端から後方に延びて形成されている。スリット３１は、立設部２８の上端部を残してその下端側に形成されている。スリット３１の後端は、ロック片２５の後端部に近い位置に至っている。
【００３８】
レール２７には、第１コネクタ５０（プラグ５０Ａ）が引き戻されて所定の固定位置に至ると、図７に示すように、プラグ５０Ａの差入部５７が突き当たって第１コネクタ５０（プラグ５０Ａ）が第１固定部２０から後方へ離脱することを制限する止め部３２が設けられている。止め部３２は、レール２７の溝部２７Ａの後端を塞ぐように設けられた壁状をなしている。
【００３９】
次に、第１コネクタ５０をコネクタホルダ１０に固定する作業の一例について説明する。
まず、同軸ケーブルＣの端部に固定されたプラグ５０Ａを第１固定部２０に挿入して前方に突出させる（図６参照）。具体的には、同軸ケーブルＣを持ってプラグ５０Ａを横倒しの姿勢（ロック突起５６が左側または右側に配される姿勢）にし、第１固定部２０の挿入部２２に後方から挿入してプラグ５０Ａの全体が第１固定部２０の前方に至るようにする。この際、プラグ５０Ａの左右方向の向きはいずれの向きであっても良い。
【００４０】
次いで、第１コネクタ５０を接続する（図７参照）。同軸ケーブルＣの端部に固定されたジャック５０Ｂをプラグ５０Ａに嵌合させ、ロックアーム５２とロック部５１とを係止させる。
【００４１】
次に、第１コネクタ５０を引き戻して第１固定部２０に固定する（図８参照）。プラグ５０Ａ側の同軸ケーブルＣを持って第１コネクタ５０を縦向きの姿勢（ロック突起５６が下側に配される姿勢）にし後方に引っ張る。すると、プラグ５０Ａの差入部５７がレール２７の張出部２９の下方に入り込み、やがて溝部２７Ａに前方から差し入れられる。これにより、第１コネクタ５０は、上下方向および左右方向の位置が決まった状態で後方への移動が可能になる。そして、プラグ５０Ａのロック突起５６がロック片２５の係止部２５Ｂに当接し、ロック片２５を下方に撓ませて係止部２５Ｂを乗り越える。すると、ロック片２５が上方に弾性復帰してその係止部２５Ｂがロック突起５６の前側に係止し、プラグ５０Ａの差入部５７がレール２７の止め部３２に当接する。こうして、第１コネクタ５０は前後方向の移動が制限され、所定の固定位置に固定される。
以上により、第１コネクタ５０をコネクタホルダ１０に固定する作業が完了する。
【００４２】
次に、上記のように構成された本実施例の作用および効果について説明する。
本実施例のコネクタホルダ１０は、同軸ケーブルＣを接続する第１コネクタ５０が固定される第１固定部２０と、同軸ケーブルＣとは異なる種類の電線Ｗを接続する第２コネクタが固定される第２固定部４０と、を一体に備えたものである。この構成によれば、同軸ケーブルＣを接続する第１コネクタ５０と、同軸ケーブルＣとは異なる種類の電線Ｗを接続する第２コネクタとが一のコネクタホルダ１０を介して一のパネル孔に固定されるから、同軸ケーブルＣを接続する第１コネクタ５０と、同軸ケーブルＣとは異なる種類の電線Ｗを接続する第２コネクタとでパネル孔を共用することができる。
【００４３】
また、第１固定部２０が一対の第２固定部４０の間に位置するように並んで配置され、全体としてその並び方向に対称な形状をなしている。この構成によれば、コネクタホルダ１０を固定部２０，４０の並び方向に反転して使用することができる。
【００４４】
また、第１固定部２０が、前後方向に開口する形態をなし、第１コネクタ５０が、互いに嵌合可能なプラグ５０Ａおよびジャック５０Ｂを有し、プラグ５０Ａが、同軸ケーブルＣの端末部に接続された状態で第１固定部２０に後方から挿入され、第１固定部２０の前方に突出した後に、同軸ケーブルＣを引っ張ることで後方に引き戻されて第１固定部２０に固定されるものとされ、プラグ５０Ａおよび第１固定部２０には、プラグ５０Ａの引き戻しの際に互いに係合してプラグ５０Ａを第１固定部２０の所定の固定位置まで案内するレール構造が設けられている。
【００４５】
この構成によれば、プラグ５０Ａを引き戻す際に、プラグ５０Ａがレール構造によって所定の固定位置まで案内されるから、プラグ５０Ａを容易に固定することができる。
【００４６】
また、レール構造が、側方に開放された溝部２７Ａを有するレール２７と、溝部２７Ａに差し入れられる差入部５７とを有し、レール２７が第１固定部２０に設けられ、差入部５７がプラグ５０Ａに設けられ、レール２７には、プラグ５０Ａが引き戻されて所定の固定位置に至ると差入部５７が突き当たってプラグ５０Ａが第１固定部２０から後方へ離脱することを制限する止め部３２が設けられている。この構成によれば、差入部５７が止め部３２に突き当たることでプラグ５０Ａの後方への離脱が制限されるから、プラグ５０Ａを容易に固定することができる。
【００４７】
また、プラグ５０Ａおよび第１固定部２０には、プラグ５０Ａが引き戻されて所定の固定位置に至ると互いに係止してプラグ５０Ａが第１固定部２０から前方へ離脱することを制限するロック構造が設けられている。そして、ロック構造は、プラグ５０Ａに設けられたロック突起５６と、第１固定部２０に設けられたロック片２５とを有し、プラグ５０Ａの引き戻しの際にロック突起５６がロック片２５に当接してロック片２５が弾性変位し、プラグ５０Ａが所定の固定位置に至るとロック突起５６がロック片２５を乗り越えてロック片２５が弾性復帰してロック突起５６に係止するものとされている。この構成によれば、引き戻されたプラグ５０Ａが所定の固定位置に至ると自動的にロック片２５とロック突起５６とが係止するから、プラグ５０Ａを容易に固定することができる。
【００４８】
また、ロック片２５が、後端が支持された片持ち状をなして第１固定部２０の前側部分に形成され、レール２７が、第１固定部２０のうちロック片２５が形成された側の壁面に設けられ、その壁面に立設された立設部２８と、立設部２８の立ち上がり方向における端部から側方に張り出すとともにロック片２５よりも後方の位置からロック片２５と重なる位置に至るまで延びて設けられた張出部２９とを有し、立設部２８には、ロック片２５と張出部２９との間を切り離すようにスリット３１が設けられている。ここで、ロック片と張出部とが切り離されていない場合には、ロック片の剛性が高まってロック片を十分に撓ませることが難しくなり、また、張出部がロック片の後側までしか延びていない場合には、引き戻しの際にプラグの差入部をレールに係合させるまでの距離が増すため、引き戻し作業が困難になる。しかしながら、本実施例の構成によれば、ロック片２５と重なる位置までレール２７が延びているにもかかわらず、スリット３１を設けることでロック片２５とレール２７とが切り離されているから、ロック片２５の撓み代とレール２７の案内代とを十分に確保することができる。
【００４９】
＜実施例２＞
次に、本発明を具体化した実施例２に係るコネクタホルダ６０を図１１〜図１３によって説明する。
本実施例のコネクタホルダ６０は、第１固定部２０の前側開口部にプラグ５０Ａの移動を案内する案内部６１を設けた点で、実施例１とは相違する。なお、実施例１と同様の構成には同一符号を付して重複する説明を省略する。
【００５０】
本実施例に係るコネクタホルダ６０は、実施例１と同様に、同軸ケーブルＣを接続する第１コネクタ５０が固定される第１固定部２０と、同軸ケーブルＣとは異なる種類の電線Ｗを接続する第２コネクタが固定される第２固定部４０とを一体に備えたものである。
また、コネクタホルダ６０は、実施例１と同様、第１固定部２０が一対の第２固定部４０の間に位置するように並んで配置され、全体としてその並び方向に対称な形状をなしている。
【００５１】
そして、第１固定部２０は、実施例１と同様、前後方向に開口する形態をなし、同軸ケーブルＣの端末部に接続されたプラグ５０Ａが第１固定部２０に後方から挿入され、第１固定部２０の前方に突出した後に、同軸ケーブルＣを引っ張ることで後方に引き戻されて第１固定部２０に固定される。第１固定部２０には、実施例１と同様、プラグ５０Ａの引き戻しの際にプラグ５０Ａの差入部５７に係合してプラグ５０Ａを第１固定部２０の所定の固定位置まで案内するレール２７と、プラグ５０Ａが引き戻されて所定の固定位置に至るとプラグ５０Ａのロック突起５６に係止してプラグ５０Ａが第１固定部２０から前方へ離脱することを制限するロック片２５とが設けられている。
【００５２】
さて、第１固定部２０の前側開口部には、プラグ５０Ａの移動を案内する案内部６１が設けられている。案内部６１は、コネクタホルダ６０の前端から後方に向かって第１固定部２０の幅寸法を狭める向きで傾斜した傾斜面である。案内部６１は、図１１に示すように、第１固定部２０の前側開口部の左右両側に設けられた第１案内部６２と、図１２に示すように、上側に設けられた第２案内部６３とを備えている。
【００５３】
第１案内部６２は、図１１に示すように、コネクタホルダ６０の前端（第２固定部４０の前面に近接した位置）から後方に向かって次第に第１固定部２０の左右方向における中心側に寄る傾斜をなしている。第１案内部６２は、下壁に設けられた切欠部２４の左右方向における両端面に形成されている。左右に設けられた第１案内部６２の勾配は同等とされている。第１案内部６２の後端は、ロック片２５の前端よりも後側の位置まで至っている。第１案内部６２の後端においては、左右の第１案内部６２の間の間隔は、第１コネクタ５０の左右方向の寸法と同等の寸法になっている。また、第１案内部６２は、図１１に示すように、第１固定部２０の高さ方向の略全体にわたり設けられている。
【００５４】
第２案内部６３は、図１３に示すように、コネクタホルダ６０前端から後方に向かって次第に下がる傾斜をなしている。第２案内部６３は、図１１に示すように、左右の第１案内部６２の間の全体にわたり形成されている。
【００５５】
第１固定部２０の後端開口部には、第１固定部２０へのプラグ５０Ａの挿入動作を誘導する誘導部６４が設けられている（図１２および図１３参照）。誘導部６４は、第１固定部２０の後端から前方に向かって第１固定部２０の幅寸法を狭める向きで傾斜した傾斜面である。誘導部６４は、後側開口部の左右両側に設けられた第１誘導部６５と、下側に設けられた第２誘導部６６とを備えている。
【００５６】
第１誘導部６５は、図１２に示すように、第１固定部２０の後端から前方に向かって次第に第１固定部２０の左右方向における中心側に寄る傾斜をなしている。左右に設けられた第１誘導部６５の勾配は同等とされている。第１誘導部６５の前端においては、左右の第１誘導部６５の間の間隔は、第１コネクタ５０の左右方向の寸法と同等の寸法になっている。また、第１誘導部６５は、第１固定部２０の高さ方向の略全体にわたり設けられている（図１３参照）。
【００５７】
第１案内部６２と第１誘導部６５との間に形成された壁面は、左右において互いに略平行をなしている。なお、第１誘導部６５と第１案内部６２とは勾配が同等とされている。
第２誘導部６６は、図１３に示すように、後端から前方に向かって次第に上る傾斜をなしている。第２誘導部６６は、第１固定部２０の左右両側に設けられている。
【００５８】
第１固定部２０に後方からプラグ５０Ａを挿入する際、プラグ５０Ａが第１固定部２０に対して左右方向に位置ずれしていた場合には、第１誘導部６５に当接し、その傾斜によってプラグ５０Ａの位置が正される。また、プラグ５０Ａが第１固定部２０に対して下方に位置ずれしていた場合には、第２誘導部６６に当接し、その傾斜によってプラグ５０Ａの位置が正される。したがって、プラグ５０Ａを第１固定部２０に挿入する作業を容易に行うことができる。
【００５９】
そして、プラグ５０Ａを後方に引き戻す際、図１２に示すように、プラグ５０Ａが第１固定部２０に対して左右方向に位置ずれしていた場合には、第１案内部６２に当接し、その傾斜によってプラグ５０Ａの位置が正される。また、図１３に示すように、プラグ５０Ａが第１固定部２０に対して上方に位置ずれしていた場合には、第２案内部６３に当接し、その傾斜によってプラグ５０Ａの位置が正される。したがって、プラグ５０Ａを第１固定部２０に引き戻す作業を容易に行うことができる。
【００６０】
以上のように実施例２においては、コネクタホルダ６０が、同軸ケーブルＣを接続する第１コネクタ５０が固定される第１固定部２０と、同軸ケーブルＣとは異なる種類の電線Ｗを接続する第２コネクタが固定される第２固定部４０と、を一体に備えているから、実施例１と同様、同軸ケーブルＣを接続する第１コネクタ５０と、同軸ケーブルＣとは異なる種類の電線Ｗを接続する第２コネクタとでパネル孔を共用することができる。
【００６１】
また、第１固定部２０の前側開口部には、前方から後方に向かって第１固定部２０の幅寸法を狭める向きで傾斜し、プラグ５０Ａの所定の固定位置への移動を案内する第１案内部６２および第２案内部６３が設けられているから、プラグ５０Ａを容易に所定の位置に引き戻すことができる。
【００６２】
＜他の実施例＞
本発明は上記記述及び図面によって説明した実施例１，２に限定されるものではなく、例えば次のような実施例も本発明の技術的範囲に含まれる。
（１）上記実施例１，２では、第１コネクタ５０を接続した後、第１固定部２０に引き戻して固定するものとしているが、これに限らず、プラグ５０Ａを第１固定部２０に引き戻して固定した後に、第１コネクタ５０を接続するものとしてもよい。
（２）上記実施例１，２では、第１固定部２０が一対の第２固定部４０の間に位置するように並んで配置されているが、これに限らず、第１固定部および第２固定部の配置数および配置位置は、適宜変更することができる。
（３）上記実施例１，２では、レール構造が、側方に開放された溝部２７Ａを有するレール２７と、溝部２７Ａに差し入れられる差入部５７とを有しているが、これに限らず、レール構造は、プラグを第１固定部の所定の固定位置まで案内するものであれはどのような構造であってもよい。
（４）上記実施例１，２では、ロック構造が、プラグ５０Ａに設けられたロック突起５６と、第１固定部２０に設けられたロック片２５とを有しているが、これに限らず、ロック構造は、プラグを固定可能であればどのような構造であってもよい。
（５）上記実施例１，２では、第１コネクタ５０がＦＡＫＲＡに適合したＦＡＫＲＡコネクタである場合について説明したが、これに限らず、本発明は、第１コネクタがＦＡＫＲＡコネクタでない場合にも適応することができる。
【符号の説明】
【００６３】
Ｃ…同軸ケーブル
Ｗ…電線
１０，６０…コネクタホルダ
２０…第１固定部
２５…ロック片
２７…レール
２７Ａ…溝部
２８…立設部
２９…張出部
３１…スリット
３２…止め部
４０…第２固定部
５０…第１コネクタ
５０Ａ…プラグ（一方のコネクタ）
５０Ｂ…ジャック
５６…ロック突起
５７…差入部
６１…案内部
【図１】
2016072170.tif 000003
【図２】
2016072170.tif 000004
【図３】
2016072170.tif 000005
【図４】
2016072170.tif 000006
【図５】
2016072170.tif 000007
【図６】
2016072170.tif 000008
【図７】
2016072170.tif 000009
【図８】
2016072170.tif 000010
【図９】
2016072170.tif 000011
【図１０】
2016072170.tif 000012
【図１１】
2016072170.tif 000013
【図１２】
2016072170.tif 000014
【図１３】
2016072170.tif 000015